(57)【要約】【課題】放音の停止時に発生した情報の受信がユーザに伝わり易い通信装置、通信方法およびプログラムを提供する。【解決手段】携帯端末装置１０は、音を出力する放音部１１０と、外部の通信機器と情報の送受信を行う情報通信部１３０と、外部の情報機器と電子マネー機能による非接触通信を行う非接触通信部１２０と、特定の施設への入場時に非接触通信によって入場処理を行った場合に、放音部１１０からの放音を停止する放音停止部１０１と、放音停止部１０１により放音が停止されている場合に、情報通信部１３０への情報の受信があると、受信があったことを示す受信情報を、受信情報を表示可能な外部の電子機器３０へ送信する機器送信部１０２と、を備える。【選択図】図１
2013247480.tif 000002
【特許請求の範囲】
【請求項１】
音を出力する放音部と、
外部の通信機器と情報の送受信を行う情報通信部と、
外部の情報機器と電子マネー機能による非接触通信を行う非接触通信部と、
特定の施設への入場時に前記非接触通信部の非接触通信によって入場処理を行った場合に、前記放音部からの放音を停止する放音停止部と、
前記放音停止部により前記放音が停止されている場合に、前記情報通信部への情報の受信があると、受信があったことを示す受信情報を、前記受信情報を表示可能な外部の電子機器へ送信する機器送信部と、
を備える通信装置。
【請求項２】
前記放音停止部は、前記特定の施設からの退場時に前記非接触通信によって退場処理を行った場合に、前記放音部による放音の停止を解除する、
請求項１に記載の通信装置。
【請求項３】
音を出力する放音部と、
外部の通信機器と情報の送受信を行う情報通信部と、
外部の情報機器と電子マネー機能による非接触通信を行う非接触通信部と、
特定の施設での電子マネーの支払時に前記非接触通信部の非接触通信によって支払処理を行った場合に、前記放音部からの放音を停止する放音停止部と、
前記放音停止部により前記放音が停止されている場合に、前記情報通信部への情報の受信があると、受信があったことを示す受信情報を、前記受信情報を表示可能な外部の電子機器へ送信する機器送信部と、
を備える通信装置。
【請求項４】
前記特定の施設に関する施設情報を記憶する施設情報記憶部と、
前記非接触通信による電子マネーの支払先を示す情報が、前記施設情報記憶部に記憶された前記施設情報に含まれるか否かを判定する施設判定部と、を備え、
前記放音停止部は、前記電子マネーの支払先を示す情報が前記施設情報に含まれると前記施設判定部により判定された場合に、前記放音部からの放音を停止し、前記電子マネーの支払先を示す情報が前記施設情報に含まれないと前記施設判定部により判定された場合に、前記放音部からの放音を停止しない、
請求項３に記載の通信装置。
【請求項５】
前記非接触通信によって前記特定の施設での支払処理が行われた場合、前記支払処理を行った位置を示す支払位置情報を取得する支払位置取得部と、
前記通信装置の現在位置を示す現在位置情報を所定のタイミング毎に取得する現在位置取得部と、
前記支払位置取得部により取得された支払位置情報と前記現在位置取得部により取得された現在位置情報とが示す位置関係から、前記通信装置が、前記非接触通信による支払処理を行った位置から所定の距離離れた位置に移動したかを予め定められたタイミング毎に判定する移動判定部と、を備え、
前記放音停止部は、前記移動判定部により前記通信装置が所定の距離離れた位置に移動したと判定された場合に、前記放音部による前記放音の停止を解除する、
請求項４に記載の通信装置。
【請求項６】
前記放音が停止されている間に、前記情報通信部で情報が受信されると、前記通信装置を振動させる振動部と、
前記外部の電子機器から送信された信号を受信する機器受信部と、
前記振動部による振動が行われている間に、前記機器受信部で信号が受信されると、前記振動部による振動を停止する振動停止部と、
を備える請求項１から５のいずれか１項に記載の通信機器。
【請求項７】
通信装置が、音を出力する放音ステップと、
前記通信装置が、外部の通信機器と情報の送受信を行う情報通信ステップと、
前記通信装置が、外部の情報機器と電子マネー機能による非接触通信を行う非接触通信ステップと、
前記通信装置が、特定の施設への入場時に前記非接触通信ステップの非接触通信によって入場処理を行った場合に、前記放音ステップによる放音を停止する放音停止ステップと、
前記放音停止ステップにより前記放音が停止されている場合に、前記情報通信ステップで情報の受信があると、受信があったことを示す受信情報を、前記受信情報を表示可能な外部の電子機器へ送信する機器送信ステップと、
を備える通信方法。
【請求項８】
通信装置が、音を出力する放音ステップと、
前記通信装置が、外部の通信機器と情報の送受信を行う情報通信ステップと、
前記通信装置が、外部の情報機器と電子マネー機能による非接触通信を行う非接触通信ステップと、
前記通信装置が、特定の施設での電子マネーの支払時に前記非接触通信ステップの非接触通信によって支払処理を行った場合に、前記放音ステップによる放音を停止する放音停止ステップと、
前記通信装置が、前記放音停止ステップにより前記放音が停止されている場合に、前記情報通信ステップで情報の受信があると、受信があったことを示す受信情報を、前記受信情報を表示可能な外部の電子機器へ送信する機器送信ステップと、
を備える通信方法。
【請求項９】
通信装置を制御するコンピュータに、
音を出力する放音機能、
外部の通信機器と情報の送受信を行う情報通信機能、
外部の情報機器と電子マネー機能による非接触通信を行う非接触通信機能、
特定の施設への入場時に前記非接触通信機能の非接触通信によって入場処理を行った場合に、前記放音機能による放音を停止する放音停止機能、
前記放音停止機能により前記放音が停止されている場合に、前記情報通信機能で情報の受信があると、受信があったことを示す受信情報を、前記受信情報を表示可能な外部の電子機器へ送信する機器送信機能、
を実現させるプログラム。
【請求項１０】
通信装置を制御するコンピュータに、
音を出力する放音機能、
外部の通信機器と情報の送受信を行う情報通信機能、
外部の情報機器と電子マネー機能による非接触通信を行う非接触通信機能、
特定の施設での電子マネーの支払時に前記非接触通信機能の非接触通信によって支払処理を行った場合に、前記放音機能による放音を停止する放音停止機能、
前記放音停止機能により前記放音が停止されている場合に、前記情報通信機能で情報の受信があると、受信があったことを示す受信情報を、前記受信情報を表示可能な外部の電子機器へ送信する機器送信機能、
を実現させるプログラム。
【発明の詳細な説明】
【技術分野】
【０００１】
本発明は、通信装置、通信方法およびプログラムに関する。
【背景技術】
【０００２】
情報の読み取りを行う情報読取装置との非接触通信により、現金やクレジットカードに代わって、課金された分を電子マネーによって支払うことが可能な装置として、特許文献１に記載の通話機能やメール機能等を有する携帯端末装置がある。
【０００３】
特許文献１に記載の携帯端末装置は、例えば駅構内などの施設への入場の際に非接触通信を行い、その後に特定信号を受信すると、ユーザが電車に乗っていることから、スピーカからの放音を自動的に停止する。そして、携帯端末装置は、施設からの退場の際に再び非接触通信を行うと、放音の停止を自動的に解除する。このようにして、携帯端末装置は、例えば着信やメール受信等を示す音が、携帯端末装置からの放音を停止することが要求される場所で、出力されることを防止する。
【先行技術文献】
【特許文献】
【０００４】
【特許文献１】特開２００９−１４１４４７号公報
【発明の概要】
【発明が解決しようとする課題】
【０００５】
ここで、特許文献１の携帯端末装置は、前述の通り、入場の際に非接触通信を行って特定信号を受信すると、スピーカからの放音を、自動的に停止する。このため、着信やメール受信等の情報の受信が携帯端末装置で発生しても、放音がないことから、ユーザは、情報の受信に気づき難い。つまり、特許文献１の携帯端末装置は、放音の停止時に発生した情報の受信がユーザに伝わり難いという問題点があった。
【０００６】
本発明は、上記実情に鑑みてなされたものであり、放音の停止時に発生した情報の受信がユーザに伝わり易い通信装置、通信方法およびプログラムを提供することを目的とする。
【課題を解決するための手段】
【０００７】
本発明の第１の観点に係る通信装置は、
音を出力する放音部と、
外部の通信機器と情報の送受信を行う情報通信部と、
外部の情報機器と電子マネー機能による非接触通信を行う非接触通信部と、
特定の施設への入場時に前記非接触通信部の非接触通信によって入場処理を行った場合に、前記放音部からの放音を停止する放音停止部と、
前記放音停止部により前記放音が停止されている場合に、前記情報通信部への情報の受信があると、受信があったことを示す受信情報を、前記受信情報を表示可能な外部の電子機器へ送信する機器送信部と、
を備える。
【０００８】
本発明の第２の観点に係る通信装置は、
音を出力する放音部と、
外部の通信機器と情報の送受信を行う情報通信部と、
外部の情報機器と電子マネー機能による非接触通信を行う非接触通信部と、
特定の施設での電子マネーの支払時に前記非接触通信部の非接触通信によって支払処理を行った場合に、前記放音部からの放音を停止する放音停止部と、
前記放音停止部により前記放音が停止されている場合に、前記情報通信部への情報の受信があると、受信があったことを示す受信情報を、前記受信情報を表示可能な外部の電子機器へ送信する機器送信部と、
を備える。
【０００９】
本発明の第３の観点に係る通信方法は、
通信装置が、音を出力する放音ステップと、
前記通信装置が、外部の通信機器と情報の送受信を行う情報通信ステップと、
前記通信装置が、外部の情報機器と電子マネー機能による非接触通信を行う非接触通信ステップと、
前記通信装置が、特定の施設への入場時に前記非接触通信ステップの非接触通信によって入場処理を行った場合に、前記放音ステップによる放音を停止する放音停止ステップと、
前記放音停止ステップにより前記放音が停止されている場合に、前記情報通信ステップで情報の受信があると、受信があったことを示す受信情報を、前記受信情報を表示可能な外部の電子機器へ送信する機器送信ステップと、
を備える。
【００１０】
本発明の第４の観点に係る通信方法は、
通信装置が、音を出力する放音ステップと、
前記通信装置が、外部の通信機器と情報の送受信を行う情報通信ステップと、
前記通信装置が、外部の情報機器と電子マネー機能による非接触通信を行う非接触通信ステップと、
前記通信装置が、特定の施設での電子マネーの支払時に前記非接触通信ステップの非接触通信によって支払処理を行った場合に、前記放音ステップによる放音を停止する放音停止ステップと、
前記通信装置が、前記放音停止ステップにより前記放音が停止されている場合に、前記情報通信ステップで情報の受信があると、受信があったことを示す受信情報を、前記受信情報を表示可能な外部の電子機器へ送信する機器送信ステップと、
を備える。
【００１１】
本発明の第５の観点に係るプログラムは、
通信装置を制御するコンピュータに、
音を出力する放音機能、
外部の通信機器と情報の送受信を行う情報通信機能、
外部の情報機器と電子マネー機能による非接触通信を行う非接触通信機能、
特定の施設への入場時に前記非接触通信機能の非接触通信によって入場処理を行った場合に、前記放音機能による放音を停止する放音停止機能、
前記放音停止機能により前記放音が停止されている場合に、前記情報通信機能で情報の受信があると、受信があったことを示す受信情報を、前記受信情報を表示可能な外部の電子機器へ送信する機器送信機能、
を実現させる。
【００１２】
本発明の第６の観点に係るプログラムは、
通信装置を制御するコンピュータに、
音を出力する放音機能、
外部の通信機器と情報の送受信を行う情報通信機能、
外部の情報機器と電子マネー機能による非接触通信を行う非接触通信機能、
特定の施設での電子マネーの支払時に前記非接触通信機能の非接触通信によって支払処理を行った場合に、前記放音機能による放音を停止する放音停止機能、
前記放音停止機能により前記放音が停止されている場合に、前記情報通信機能で情報の受信があると、受信があったことを示す受信情報を、前記受信情報を表示可能な外部の電子機器へ送信する機器送信機能、
を実現させる。
【発明の効果】
【００１３】
本発明によれば、従来のものに比べて、放音の停止時に発生した情報の受信がユーザに伝わり易い。
【図面の簡単な説明】
【００１４】
【図１】本発明の実施の形態１に係る携帯端末装置および携帯機器のブロック図である。
【図２】（ａ）は、携帯機器の表示部に着信時に表示される情報を示す図であり、（ｂ）は、携帯機器の表示部にメール受信時に表示される情報を示す図である。
【図３】入退場処理を示すフローチャートである。
【図４】本発明の実施の形態２に係る携帯端末装置および携帯機器のブロック図である。
【図５】本発明の実施の形態２の入退場処理を示すフローチャートである。
【図６】本発明の実施の形態３に係る携帯端末装置および携帯機器のブロック図である。
【図７】本発明の実施の形態３の支払時処理を示すフローチャートである。
【発明を実施するための形態】
【００１５】
（実施の形態１）
以下、本発明の実施の形態に係る通信システム１を、図１〜図３を参照して説明する。通信システム１は、図１に示すように、携帯端末装置１０と携帯機器３０とを備えている。
【００１６】
携帯端末装置１０は、例えば携帯電話等の通信装置である。また、携帯端末装置１０は、例えばBluetooth（登録商標）通信方式による近距離通信を、外部の電子機器である携帯機器３０と行うことができる。
【００１７】
携帯端末装置１０は、携帯端末装置１０で実現される電子マネー機能（非接触ＩＣ（Integrated Circuit）カード機能も含む）によって、特定の施設への入場時（例えば、駅の改札口やコンサート会場の入場ゲートへの入場時）に入場処理を行った場合、携帯端末装置１０からの放音を停止することが要求される状況になったことから、停止モードに設定し、携帯端末装置１０からの放音を停止する。その後、携帯端末装置１０は、例えば電話の着信やメールの受信があると、着信の内容や受信したメールの内容を示す情報を、近距離通信によって携帯機器３０へ送信する。すると、携帯機器３０は、着信の内容やメールの内容を示す情報を例えばディスプレイに表示する。
【００１８】
よって、携帯端末装置１０からの放音を停止することが要求される状況になった場合でも、ユーザは、携帯端末装置１０の操作をなんら行うことなく、携帯端末装置１０からの放音を自動的に停止させることができる。また、ユーザは、放音の停止時に携帯端末装置１０に発生した着信の内容やメールの内容を、携帯機器３０で確認することができる。従って、携帯端末装置１０は、従来のものと比較して、放音の停止時に携帯端末装置１０に発生した着信やメール受信がユーザに伝わり易い。
【００１９】
携帯端末装置１０は、制御部１００と、放音部１１０と、非接触通信部１２０と、情報通信部１３０と、を備えている。
【００２０】
制御部１００は、携帯端末装置１０の制御を行う。制御部１００は、図示しないＣＰＵ（Central Processing Unit）と、ＲＯＭ（Read only Memory）と、ＲＡＭ（Random Access Memory）と、フラッシュメモリと、を備えている。
【００２１】
ＣＰＵは、ＲＯＭに格納されたプログラム（例えば、後述する図３に示す処理を実現するプログラム）を実行する。
【００２２】
また、ＣＰＵがＲＯＭに格納されたプログラムを実行することにより、制御部１００は、携帯端末装置１０に、例えば駅の改札口やコンサート会場の入退場ゲート、或いは小売店等に設置された情報読取装置（情報機器）と電子マネー機能による非接触通信を行う機能を実現する。なお、電子マネー機能には、非接触ＩＣカード機能も含む。電子マネー機能とは、例えば、「Ｓｕｉｃａ」（登録商標）や「ＷＡＯＮ」（登録商標）」を用いた決済機能である。
【００２３】
制御部１００は、ユーザの指示により電子マネー機能を起動した後、特定の施設への入場時に入場処理を行うと、携帯端末装置１０を停止モードに設定する入退場処理を実行する。ここで、停止モードとは、携帯端末装置１０からの放音、具体的には、放音部１１０からの放音を自動的に停止するモードである。
【００２４】
制御部１００は、入場処理が特定の施設への入場時のものであるか否かを次のようにして判定する。即ち、制御部１００は、例えば、駅の改札口やコンサート会場の入退場ゲートに設置された情報読取装置（情報機器）との非接触通信により携帯端末装置１０が受信した情報によって、まず、入場か退場かを判定し、その判定に従い、入場処理あるいは退場処理を実行する。そして、制御部１００は、入場処理を実行した場合、情報読取装置との非接触通信時に受信した情報（電子マネーの種別を判別する情報）が、フラッシュメモリに記憶されている電子マネーの種別を示す情報に含まれるか否かを判定する。制御部１００は、電子マネーの種別を判別する情報が含まれていれば、実行した入場処理が特定の施設への入場時に行った処理であると判定し（特定の施設で入場処理を実行したと判定し）、入退場処理を実行する。これにより、停止モードが設定される。なお、制御部１００は、電子マネーの種別を判別する情報が含まれていなければ、実行した入場処理が特定の施設への入場時に行った処理でないと判定し、入退場処理を実行しない。これにより、停止モードが設定されない。
【００２５】
ここで、特定の施設とは、フラッシュメモリに情報として記憶される種別の電子マネーが利用される施設である。また、フラッシュメモリに情報として記憶される電子マネーの種別は、例えば携帯端末装置１０の出荷時に予め設定されている。また、電子マネーの種別を示す情報は、携帯端末装置１０に備えられた例えばキーボードのユーザ操作によって、フラッシュメモリへの追加、或いはフラッシュメモリからの削除が可能である。
【００２６】
なお、制御部１００は、退場処理を実行した場合、情報読取装置との非接触通信時に受信した情報（電子マネーの種別を判別する情報）が、入場時に受信した情報（電子マネーの種別を判別する情報）と一致するか否かを判定する。そして、制御部１００は、入場時に受信した情報と一致すると判定すると、実行した退場処理が、入場した特定の施設からの退場時に行った処理であると判定する（入場した施設で退場処理を実行したと判定する）。これにより、停止モードが解除される。なお、制御部１００で、入場時に受信した情報（電子マネーの種別を判別する情報）と一致しないと判定されると、停止モードが維持される。
【００２７】
加えて、制御部１００は、ＣＰＵがＲＯＭに格納されたプログラムを実行することにより、放音停止部１０１と、機器送信部１０２と、の機能を実現する。
【００２８】
放音停止部１０１は、特定の施設への入場時に制御部１００が非接触通信によって入場処理を行った場合、停止モードに設定して、放音部１１０からの放音を停止させる。なお、放音停止部１０１は、特定の施設からの退場時に制御部１００が非接触通信によって退場処理を行った場合、停止モードを解除して、放音部１１０による放音の停止を解除する。
【００２９】
機器送信部１０２は、携帯端末装置１０が停止モードに設定されている場合に、情報通信部１３０への情報の受信（例えば電話の着信やメールの受信等の情報の受信）があると、着信の内容や受信したメールの内容を示す情報を、携帯機器３０へ送信する。
【００３０】
放音部１１０は、例えば電話の着信やメールの受信があると、停止モードが設定されていない場合、音を出力する（放音する）。これにより、ユーザは、着信やメールの受信を、認識することができる。一方、放音部１１０は、停止モードが設定されている場合、例えば電話の着信やメールの受信があっても、放音を停止する。
【００３１】
非接触通信部１２０は、外部の情報読取装置（情報機器）と電子マネー機能による非接触通信を行う。
【００３２】
情報通信部１３０は、他の携帯端末装置と、例えば公衆通信網やインターネット網等を介した情報の送受信を行う。
【００３３】
バスラインＢＬは、各部１００〜１３０を相互に接続する。
【００３４】
携帯機器３０は、携帯端末装置１０から送信された、着信の内容や受信したメールの内容を示す情報を受信して、例えば液晶ディスプレイに表示する。携帯機器３０は、例えば、腕時計である。携帯機器３０は、制御部３００と、時計部３１０と、表示部３２０と、を備えている。
【００３５】
制御部３００は、携帯機器３０の制御を行う。制御部３００は、図示しないＣＰＵと、ＲＯＭと、ＲＡＭと、を備えている。
【００３６】
ＣＰＵは、ＲＯＭに格納されたプログラムを実行することで、携帯端末装置１０から送信された、着信の内容や受信したメールの内容を示す情報を受信し、受信した情報を表示部３２０に表示する。
【００３７】
時計部３１０は、時刻を計時する。時計部３１０で計時された時刻は、例えばアナログ表示形式で、表示部３２０に表示される。
【００３８】
表示部３２０は、例えば、液晶ディスプレイである。携帯端末装置１０から送信された、着信の内容を示す情報が携帯機器３０で受信されると、図２（ａ）に示すように、表示部３２０は、アナログ表示部分の下に、着信の内容を示す情報として、着信の日時と電話を行った者の氏名とを表示する。
【００３９】
また、表示部３２０は、携帯端末装置１０から送信された、メールの内容を示す情報が携帯機器３０で受信されると、図２（ｂ）に示すように、アナログ表示部分の下に、メールの内容を示す情報として、メールを送信した者の氏名とメールの件名とを表示する。なお、表示部３２０は、メールの件名の右側に、下向きの矢印を表示することで、メールの内容が全て表示されていないことをユーザに通知している。この通知により、ユーザは、例えば、押しボタンａを押すことで、メールの内容を下向きにスクロールさせ、メールの内容の全てを確認することができる。また、例えば、押しボタンｂを押すことで、ユーザは、メールの内容を上向きにスクロールさせることができる。
【００４０】
上述した携帯端末装置１０の電源がオンされ、電子マネー機能を起動した後、特定の施設で入場処理を実行した場合、携帯端末装置１０は、図３に示す入退場処理を開始する。
【００４１】
入退場処理では、まず、制御部１００（放音停止部１０１）は、放音部１１０からの放音を自動的に停止する停止モードに設定する（ステップＳ１）。
【００４２】
その後、制御部１００は、電話の着信やメールの受信等の情報の受信が情報通信部１３０で行われたか否かを判定する（ステップＳ２）。制御部１００は、情報の受信が情報通信部１３０で行われたと判定すると（ステップＳ２：Ｙｅｓ）、ステップＳ３へ移行する。
【００４３】
ステップＳ３では、制御部１００（機器送信部１０２）は、着信の内容や受信したメールの内容を示す情報を携帯機器３０へ送信する（ステップＳ３）。
【００４４】
その後、制御部１００は、ステップＳ４に移行する。なお、制御部１００は、ステップＳ２で、情報の受信が情報通信部１３０で行われていないと判定した場合にも（ステップＳ２：Ｎｏ）、ステップＳ４へ移行する。
【００４５】
ステップＳ４では、制御部１００は、入場した施設で退場処理を行ったか否かを判定する（ステップＳ４）。制御部１００は、入場した施設で退場処理を行っていないと判定すると（ステップＳ４：Ｎｏ）、停止モードを解除する指示が、携帯端末装置１０に備えられた例えばキーボードのユーザ操作により行われたか否かを判定する（ステップＳ６）。
【００４６】
制御部１００は、停止モードを解除する指示がないと判定すると（ステップＳ６：Ｎｏ）、ステップＳ２へ戻る。一方、制御部１００は、停止モードを解除する指示があったと判定すると（ステップＳ６：Ｙｅｓ）、停止モードを解除するステップＳ５へ移行する。
【００４７】
ステップＳ４で、制御部１００は、入場した施設で退場処理を行ったと判定すると（ステップＳ４：Ｙｅｓ）、ステップＳ５へ移行する。ステップＳ５では、制御部１００（放音停止部１０１）は、停止モードを解除して、停止モードに設定される前のモードに設定する（ステップＳ５）。その後、制御部１００は、入退場処理を終了する。
【００４８】
上述した通り、携帯端末装置１０は、携帯端末装置１０で実現される電子マネー機能によって、特定の施設への入場時（例えば、駅の改札口やコンサート会場の入場ゲートへの入場時）に入場処理を行った場合、携帯端末装置１０からの放音を停止することが要求される状況になったことから、停止モードに設定し、携帯端末装置１０からの放音を停止する。その後、携帯端末装置１０は、例えば電話の着信やメールの受信があると、着信の内容や受信したメールの内容を示す情報を携帯機器３０へ送信する。すると、携帯機器３０は、着信の内容やメールの内容を示す情報を例えばディスプレイに表示する。
【００４９】
よって、携帯端末装置１０からの放音を停止することが要求される状況になった場合でも、ユーザは、携帯端末装置１０の操作をなんら行うことなく、携帯端末装置１０からの放音を自動的に停止させることができる。また、ユーザは、放音の停止時に携帯端末装置１０に発生した着信の内容やメールの内容を、携帯機器３０で確認することができる。従って、携帯端末装置１０は、従来のものと比較して、放音の停止時に携帯端末装置１０に発生した着信やメール受信がユーザに伝わり易い。
【００５０】
（実施の形態２）
次に、本発明の実施の形態２に係る通信システム２を、図４，５を参照して説明する。通信システム２は、実施の形態１の通信システム１で使用された携帯端末装置１０の構成および処理の一部を変更して、携帯端末装置１１とし、通信システム１で使用された携帯機器３０の構成の一部を変更して、携帯機器３１としたものである。よって、携帯端末装置１１では、携帯端末装置１０と同一の構成・同一の処理については同一の番号を付して、その説明を省略する。また、携帯機器３１では、携帯機器３０と同一の構成については同一の番号を付して、その説明を省略する。
【００５１】
携帯端末装置１１は、携帯端末装置１１で実現される電子マネー機能（非接触ＩＣカード機能も含む）によって、特定の施設への入場時（例えば、駅の改札口やコンサート会場の入場ゲートへの入場時）に入場処理を行った場合、携帯端末装置１１からの放音を停止することが要求される状況になったことから、停止モードに設定し、携帯端末装置１１からの放音を停止する。その後、携帯端末装置１１は、例えば電話の着信やメールの受信があると、振動部１７０を動作させて、携帯端末装置１１を振動させることで、情報の受信をユーザに報知する。また、携帯端末装置１１は、着信の内容や受信したメールの内容を示す情報を、近距離通信によって携帯機器３１へ送信する。すると、携帯機器３１は、着信の内容やメールの内容を示す情報を例えばディスプレイに表示する。
【００５２】
よって、携帯端末装置１１からの放音を停止することが要求される状況になった場合でも、ユーザは、携帯端末装置１１の操作をなんら行うことなく、携帯端末装置１１からの放音を自動的に停止させることができる。また、ユーザは、放音の停止時に携帯端末装置１１に発生した着信の内容やメールの内容を、携帯機器３１で確認することができる。従って、携帯端末装置１１は、従来のものと比較して、放音の停止時に携帯端末装置１１に発生した着信やメール受信がユーザに伝わり易い。
【００５３】
携帯端末装置１１は、制御部１００と、放音部１１０と、非接触通信部１２０と、情報通信部１３０と、入力部１４０と、表示部１５０と、時計部１６０と、振動部１７０と、を備えている。
【００５４】
制御部１００は、実施の形態１の携帯端末装置１０と同様、放音停止部１０１と機器送信部１０２との機能を実現する。加えて、制御部１００は、携帯端末装置１１が停止モードに設定されている場合に、情報通信部１３０への情報の受信（例えば電話の着信やメールの受信等の情報の受信）があると、振動部１７０を動作させて、携帯端末装置１１を振動させることで、情報の受信をユーザに報知する。また、制御部１００は、振動部１７０の動作開始から所定時間が経過した場合、或いは、振動部１７０が動作している間に、振動部１７０の動作の停止を指示する信号（携帯機器３１から送信される信号）を近距離通信によって受信した場合、振動部１７０を停止させる。なお、制御部１００は、振動停止部と呼ばれることもある。
【００５５】
入力部１４０は、例えば、キーボードである。入力部１４０を操作することで、ユーザは、例えば、他の携帯端末装置との公衆通信網やインターネット網等を介した通信を開始できる。
【００５６】
表示部１５０は、例えば、液晶ディスプレイである。表示部１５０は、例えば、各種の設定画面等を表示する。
【００５７】
時計部１６０は、時刻を計時する。例えば電話の着信やメールの受信があると、制御部１００は、時計部１６０から、時刻を示す情報を取得し、着信や受信の時刻を特定する。
【００５８】
振動部１７０は、停止モードが設定されている間に、例えば電話の着信やメールの受信等の情報の受信が情報通信部１３０で行われると、携帯端末装置１１を振動させ、着信や受信をユーザに報知する。一方、振動部１７０は、停止モードが設定されていない場合、例えば電話の着信やメールの受信があっても、携帯端末装置１１を振動させない。
【００５９】
近距離通信部１８０は、例えば、Bluetooth（登録商標）通信方式による近距離通信を、携帯機器３１の近距離通信部３３０と行う。また、近距離通信部１８０は、携帯端末装置１１が停止モードに設定されている場合に、情報通信部１３０への情報の受信（例えば電話の着信やメールの受信等の情報の受信）があると、着信の内容や受信したメールの内容を示す情報を、携帯機器３１の近距離通信部３３０へ送信する。また、近距離通信部１８０は、振動部１７０による動作が行われている間に、振動部１７０の動作の停止を指示する信号が携帯機器３１から送信された場合、その信号を受信する。なお、近距離通信部１８０は、機器受信部と呼ばれることもある。
【００６０】
バスラインＢＬは、各部１００〜１８０を相互に接続する。
【００６１】
携帯機器３１は、携帯端末装置１１の近距離通信部１８０から送信された、着信の内容や受信したメールの内容を示す情報を受信して、例えば液晶ディスプレイに表示する。携帯機器３１は、例えば、腕時計である。携帯機器３１は、制御部３００と、時計部３１０と、表示部３２０と、近距離通信部３３０と、を備えている。
【００６２】
近距離通信部３３０は、例えば、Bluetooth（登録商標）通信方式による近距離通信を携帯端末装置１１の近距離通信部１８０と行う。近距離通信部３３０は、例えば、携帯端末装置１１から送信された、着信の内容や受信したメールの内容を示す情報を受信する。
【００６３】
上述した携帯端末装置１１の電源がオンされ、電子マネー機能を起動した後、特定の施設で入場処理を実行した場合、携帯端末装置１１は、図５に示す入退場処理を開始する。
【００６４】
入退場処理では、ステップＳ１〜ステップＳ３を実行した後、制御部１００（放音停止部１０１）は、振動部１７０を動作させて（ステップＳ７）、携帯端末装置１１を振動させることで、着信や受信の発生をユーザに報知する。
【００６５】
その後、制御部１００は、振動部１７０による動作の停止を指示する、携帯機器３１から送信される信号を、受信したか否かを判定する（ステップＳ８）。制御部１００は、受信していないと判定すると（ステップＳ８：Ｎｏ）、振動部１７０の動作開始から所定時間が経過したか否かを判定する（ステップＳ９）。
【００６６】
制御部１００は、所定時間が経過していないと判定すると（ステップＳ９：Ｎｏ）、ステップＳ７へ戻る。一方、制御部１００は、所定時間が経過したと判定した場合（ステップＳ９：Ｙｅｓ）、或いは振動部１７０の動作の停止を指示する信号を受信したと判定した場合（ステップＳ８：Ｙｅｓ）、振動部１７０を停止させる（ステップＳ１０）。ステップＳ１０の実行後、制御部１００は、ステップＳ４に移行する。なお、制御部１００は、ステップＳ２で、情報の受信が情報通信部１３０で行われていないと判定した場合にも（ステップＳ２：Ｎｏ）、ステップＳ４へ移行する。
【００６７】
その後、制御部１００は、ステップＳ４〜ステップＳ６の処理を実行する。
【００６８】
上述した通り、携帯端末装置１１は、携帯端末装置１１で実現される電子マネー機能（非接触ＩＣカード機能も含む）によって、特定の施設への入場時（例えば、駅の改札口やコンサート会場の入場ゲートへの入場時）に入場処理を行った場合、携帯端末装置１１からの放音を停止することが要求される状況になったことから、停止モードに設定し、携帯端末装置１１からの放音を停止する。その後、携帯端末装置１１は、例えば電話の着信やメールの受信があると、振動部１７０を動作させて、携帯端末装置１１を振動させることで、情報の受信をユーザに報知する。また、携帯端末装置１１は、着信の内容や受信したメールの内容を示す情報を、近距離通信によって携帯機器３１へ送信する。すると、携帯機器３１は、着信の内容やメールの内容を示す情報を例えばディスプレイに表示する。
【００６９】
よって、携帯端末装置１１からの放音を停止することが要求される状況になった場合でも、ユーザは、携帯端末装置１１の操作をなんら行うことなく、携帯端末装置１１からの放音を自動的に停止させることができる。また、ユーザは、放音の停止時に携帯端末装置１１に発生した着信の内容やメールの内容を、携帯機器３１で確認することができる。従って、携帯端末装置１１は、従来のものと比較して、放音の停止時に携帯端末装置１１に発生した着信やメール受信がユーザに伝わり易い。
【００７０】
（実施の形態３）
次に、本発明の実施の形態３に係る通信システム３を、図６，７を参照して説明する。通信システム３は、実施の形態１の通信システム１で使用された携帯端末装置１０の構成および処理の一部を変更して、携帯端末装置１２としたものである。ここで、携帯端末装置１２が備える、入力部１４０、表示部１５０、時計部１６０、振動部１７０および近距離通信部１８０は、実施の形態２の携帯端末装置１１が備えるものと同一の構成である。よって、携帯端末装置１２では、携帯端末装置１０，１１と同一の構成・同一の処理については同一の番号を付して、その説明を省略する。
【００７１】
携帯端末装置１２は、携帯端末装置１２で実現される電子マネー機能（非接触ＩＣカード機能も含む）によって、携帯端末装置１２に記憶された特定の施設での電子マネーの支払時（例えば、美術館や映画館等のチケット購入窓口での電子マネーの支払時）に支払処理を行った場合、携帯端末装置１２からの放音を停止することがユーザによって指定されている状況になったことから、停止モードに設定し、携帯端末装置１２からの放音を停止する。その後、携帯端末装置１２は、例えば電話の着信やメールの受信があると、着信の内容や受信したメールの内容を示す情報を携帯機器３１へ送信する。すると、携帯機器３１は、着信の内容やメールの内容を示す情報を例えばディスプレイに表示する。
【００７２】
よって、携帯端末装置１２からの放音を停止することが要求される状況になった場合でも、ユーザは、携帯端末装置１２の操作をなんら行うことなく、携帯端末装置１２からの放音を自動的に停止させることができる。また、ユーザは、放音の停止時に携帯端末装置１２に発生した着信の内容やメールの内容を、携帯機器３１で確認することができる。従って、携帯端末装置１２は、従来のものと比較して、放音の停止時に携帯端末装置１２に発生した着信やメール受信がユーザに伝わり易い。
【００７３】
携帯端末装置１２は、制御部２００と、記憶部２１０と、ＧＰＳ（Global Positioning System）受信部２２０と、各部１１０〜１８０と、を備えている。
【００７４】
制御部２００は、携帯端末装置１２の制御を行う。制御部２００は、図示しないＣＰＵと、ＲＯＭと、ＲＡＭと、を備えている。
【００７５】
ＣＰＵは、ＲＯＭに格納されたプログラム（例えば、後述する図６に示す処理を実現するプログラム）を実行する。
【００７６】
また、ＣＰＵがＲＯＭに格納されたプログラムを実行することにより、制御部２００は、携帯端末装置１２に、美術館や映画館等のチケット購入窓口に設置された情報読取装置（情報機器）と電子マネー機能による非接触通信を行う機能を実現する。
【００７７】
制御部２００は、ユーザの指示により電子マネー機能を起動した後、特定の施設での電子マネーの支払時に支払処理を行うと、携帯端末装置１２を停止モードに設定する支払時処理を実行する。
【００７８】
制御部２００は、支払処理が特定の施設での支払時のものであるか否かを次のようにして判定する。即ち、制御部２００は、例えば、美術館や映画館等の入退場ゲートに設置された情報読取装置（情報機器）との非接触通信により携帯端末装置１２が受信した情報によって、支払処理を実行する。そして、制御部２００は、情報読取装置との非接触通信時に受信した情報（電子マネーの支払先を示す情報）が、施設情報記憶部２１１に記憶された特定の施設に関する特定情報（ユーザの操作によって記憶された情報）に含まれるか否かを判定する。制御部２００は、電子マネーの支払先を示す情報が含まれていれば、実行した支払処理が特定の施設での電子マネーの支払時に行った処理であると判定し（特定の施設で支払処理を実行したと判定し）、支払時処理を実行する。これにより、停止モードが設定される。なお、制御部２００は、電子マネーの支払先を示す情報が含まれていなければ、実行した支払処理が特定の施設での電子マネーの支払時に行った処理でないと判定し、支払時処理を実行しない。これにより、停止モードが設定されない。なお、特定の施設とは、施設情報記憶部２１１に記憶された特定情報で示される施設である。また、制御部２００は、施設判定部と呼ばれることもある。
【００７９】
更に、制御部２００は、実行した支払処理が特定の施設での電子マネーの支払時に行った処理であると判定すると、支払時処理で設定された停止モードの解除要否の判定を行うため、支払処理を行った位置（例えば、緯度および経度から構成される座標）を、ＧＰＳ受信部２２０を介して受信されるＧＰＳ信号（支払位置情報）によって特定する。そして、制御部２００は、特定した座標によって示される座標情報を、地図情報記憶部２１２に記憶された地図情報の座標情報と照合し、携帯端末装置１２が存在する施設等を特定する。その後、制御部２００は、所定のタイミング毎に、ＧＰＳ受信部２２０を介してＧＰＳ信号（現在位置を示す現在位置情報）を受信し、携帯端末装置１２の現在位置（座標）を特定する。そして、制御部２００は、携帯端末装置１２の現在位置が、支払処理を行った施設等と同一の建屋内に存在するか否かから、携帯端末装置１２が、施設等の外に移動したか否か（所定の距離離れた位置に移動したか否か）を予め定められたタイミング毎に判定する。
【００８０】
制御部２００は、携帯端末装置１２の現在位置が、支払処理を行った施設等と同一である判定すると、支払処理を行った施設等からユーザが退場していないと判定する。一方、制御部２００は、携帯端末装置１２の現在位置が、支払処理を行った施設等と同一でないと判定すると、支払処理を行った施設等からユーザが退場していると判定する。
【００８１】
このようにして、制御部２００は、支払処理を行った位置と現在位置との位置関係から、携帯端末装置１２が、支払処理を行った位置から所定の距離離れた位置に移動したかどうかを、予め定められたタイミング毎に判定する。これにより、制御部２００は、設定した停止モードの解除要否の判定を行う。なお、制御部２００は、支払位置取得部、現在位置取得部、或いは移動判定部と呼ばれることもある。
【００８２】
加えて、制御部２００は、ＣＰＵがＲＯＭに格納されたプログラムを実行することにより、機器送信部１０２と、放音停止部２０１と、の機能を実現する。
【００８３】
放音停止部２０１は、特定の施設での電子マネーの支払時に非接触通信によって制御部２００が支払処理を行った場合、言い換えれば、実行した支払処理が特定の施設での電子マネーの支払時に行った処理であると制御部２００が判定した場合、停止モードに設定して、放音部１１０からの放音を停止させる。よって、放音停止部２０１は、実行した支払処理が特定の施設での電子マネーの支払時に行った処理でないと制御部２００が判定した場合、停止モードを設定しない。
【００８４】
また、放音停止部２０１は、停止モードが設定されている場合に、携帯端末装置１２の現在位置が、支払処理を行った施設等と同一でないと制御部２００により判定されると、つまり、支払処理を行った位置から所定の距離離れた位置に移動したと制御部２００で判定されると、設定されている停止モードを解除して、放音部１１０による放音の停止を解除する。
【００８５】
記憶部２１０は、例えば、例えばフラッシュメモリから構成される。記憶部１１０は、施設情報記憶部２１１と、地図情報記憶部２１２と、を備えている。
【００８６】
施設情報記憶部２１１は、入力部１４０の操作によってユーザが設定した特定の施設に関する施設情報を記憶する。施設情報記憶部２１１には、例えば、美術館や映画館の名称等の施設の特定が可能な情報が記憶される。
【００８７】
ＧＰＳ受信部２２０は、ＧＰＳ衛星からの信号を受信する。
【００８８】
上述した携帯端末装置１２の電源がオンされ、電子マネー機能を起動した後、特定の施設で支払処理を実行した場合、携帯端末装置１２は、図７に示す支払時処理を開始する。
【００８９】
支払時処理では、まず、制御部２００（放音停止部２０１）は、放音部１１０からの放音を自動的に停止する停止モードに設定する（ステップＳ３１）。
【００９０】
その後、制御部２００は、支払処理を行った位置（例えば、緯度および経度から構成される座標）を、ＧＰＳ受信部２２０を介して受信されるＧＰＳ信号（支払が行われた位置を示す情報）によって特定し、ＲＡＭに記憶する（ステップＳ３２）。
【００９１】
その後、制御部２００は、ステップＳ２，Ｓ３，Ｓ７〜Ｓ１０の実行後、施設等からの退場を判定するために、ＧＰＳ受信部２２０を介してＧＰＳ信号（現在位置を示す情報）を受信し、携帯端末装置１２の現在位置（座標）を特定する（ステップＳ３３）。
【００９２】
そして、制御部２００は、ステップＳ３４で次のようにして、施設等からの退場を判定する。即ち、制御部２００は、ステップＳ３３で特定した現在の座標を、地図情報記憶部２１２に記憶された地図情報の座標情報と照合し、携帯端末装置１２が存在する施設等を特定する。また、制御部２００は、ステップＳ３２で特定された支払処理を行った位置（座標）を、地図情報記憶部２１２に記憶された地図情報の座標情報と照合し、支払処理を行った施設等を特定する。そして、制御部２００は、携帯端末装置１２が、支払を行った施設等と同一の建屋内に存在するか否かを判定する（ステップＳ３４）。
【００９３】
制御部２００は、携帯端末装置１２が、支払処理を行った施設等と同一の建屋内に存在すると判定すると（ステップＳ３４：Ｙｅｓ）、支払処理を行った施設からユーザが退場していないことから、停止モードを維持し、ステップＳ６へ移行する。一方、制御部２００は、携帯端末装置１２が、支払処理を行った施設等と同一の建屋内に存在しないと判定すると（ステップＳ３４：Ｎｏ）、支払処理を行った施設からユーザが退場していることから、停止モードを解除するステップＳ５へ移行する。その後、制御部２００は、支払時処理を終了する。
【００９４】
上述した通り、携帯端末装置１２は、携帯端末装置１２で実現される電子マネー機能によって、携帯端末装置１２に記憶された特定の施設での電子マネーの支払時（例えば、美術館や映画館等のチケット購入窓口での電子マネーの支払時）に支払処理を行った場合、携帯端末装置１２からの放音を停止することがユーザによって指定されている状況になったことから、停止モードに設定し、携帯端末装置１２からの放音を停止する。その後、携帯端末装置１２は、例えば電話の着信やメールの受信があると、着信の内容や受信したメールの内容を示す情報を携帯機器３１へ送信する。すると、携帯機器３１は、着信の内容やメールの内容を示す情報を例えばディスプレイに表示する。
【００９５】
よって、携帯端末装置１２からの放音を停止することが要求される状況になった場合でも、ユーザは、携帯端末装置１２の操作をなんら行うことなく、携帯端末装置１２からの放音を自動的に停止させることができる。また、ユーザは、放音の停止時に携帯端末装置１２に発生した着信の内容やメールの内容を、携帯機器３１で確認することができる。従って、携帯端末装置１２は、従来のものと比較して、放音の停止時に携帯端末装置１２に発生した着信やメール受信がユーザに伝わり易い。
【００９６】
また、携帯端末装置１２は、支払処理を行った施設等と同一の建屋内に携帯端末装置１２が存在するか否かを、言い換えれば、支払処理を行った施設等からユーザが退場したか否かを、ＧＰＳ信号に基づき判定する。よって、携帯端末装置１２は、実施の形態１の携帯端末装置１０や実施の形態２の携帯端末装置１１のように、情報読取装置との非接触通信によって退場処理が行われなくても、施設等からの退場の有無を判定できるので、ユーザの操作を受けることなく、携帯端末装置１２に設定された停止モードを解除できる。
【００９７】
以上、本発明の実施形態を説明したが、この発明は上記の実施の形態に限定されず、種々の変形および応用が可能である。
【００９８】
例えば、上述した通信システム１〜３では、携帯端末装置１０〜１２から送信される着信の内容や受信したメールの内容を示す情報を、１台の携帯機器３０や携帯機器３１で受信したが、これに限られるものではない。即ち、着信の内容や受信したメールの内容を示す情報を、複数の携帯機器３０や携帯機器３１で受信してもよい。
【００９９】
なお、複数の携帯機器３０や携帯機器３１が、携帯端末装置１０〜１２から送信される、着信の内容や受信したメールの内容を示す情報を受信可能である場合、次のように構成してもよい。即ち、ユーザが受信許可を設定した携帯機器３０や携帯機器３１だけが、着信の内容や受信したメールの内容を示す情報を受信できるように構成してもよい。このように構成することで、ユーザが必要とする以上に、着信の内容やメールの内容を示す情報が携帯機器３０や携帯機器３１で表示されることを防止できる。
【０１００】
例えば、上述した通信システム１〜３では、携帯端末装置１０〜１２を携帯電話等として説明したが、携帯端末装置１０〜１２の他の例示として次のものがある。即ち、携帯端末装置１０〜１２は、非接触通信部１２０、情報通信部１３０および近距離通信機能を備えていれば、例えばタブレットＰＣ（Personal Computer）やノートＰＣ、ＰＤＡ（Personal Data Assistants）や携帯用ゲーム機等であってもよい。
【０１０１】
なお、上記実施形態において、携帯端末装置１０〜１２を制御するプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、図３，５，７に示す処理を実行する携帯端末装置を構成することとしてもよい。
【０１０２】
また、上述のプログラムをインターネット等の通信ネットワーク上の所定のサーバ装置が有するディスク装置等に格納しておき、例えば、搬送波に重畳させて、ダウンロード等するようにしてもよい。
【０１０３】
また、上述の図３，５，７に示す処理を、各ＯＳ（Operating System）が分担して実現する場合、又は、ＯＳとアプリケーションとの協働により実現する場合等には、ＯＳ以外の部分のみを媒体に格納して配布してもよく、また、ダウンロード等してもよい。
【０１０４】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内およびそれと同等の発明の意義の範囲内で施される様々な変形が、本発明の範囲内とみなされる。
【０１０５】
上記の実施形態の一部又は全部は、以下の付記のようにも記載されうるが、以下には限られない。
【０１０６】
（付記１）
音を出力する放音部と、
外部の通信機器と情報の送受信を行う情報通信部と、
外部の情報機器と電子マネー機能による非接触通信を行う非接触通信部と、
特定の施設への入場時に前記非接触通信部の非接触通信によって入場処理を行った場合に、前記放音部からの放音を停止する放音停止部と、
前記放音停止部により前記放音が停止されている場合に、前記情報通信部への情報の受信があると、受信があったことを示す受信情報を、前記受信情報を表示可能な外部の電子機器へ送信する機器送信部と、
を備える通信装置。
【０１０７】
（付記２）
前記放音停止部は、前記特定の施設からの退場時に前記非接触通信によって退場処理を行った場合に、前記放音部による放音の停止を解除する、
付記１に記載の通信装置。
【０１０８】
（付記３）
音を出力する放音部と、
外部の通信機器と情報の送受信を行う情報通信部と、
外部の情報機器と電子マネー機能による非接触通信を行う非接触通信部と、
特定の施設での電子マネーの支払時に前記非接触通信部の非接触通信によって支払処理を行った場合に、前記放音部からの放音を停止する放音停止部と、
前記放音停止部により前記放音が停止されている場合に、前記情報通信部への情報の受信があると、受信があったことを示す受信情報を、前記受信情報を表示可能な外部の電子機器へ送信する機器送信部と、
を備える通信装置。
【０１０９】
（付記４）
前記特定の施設に関する施設情報を記憶する施設情報記憶部と、
前記非接触通信による電子マネーの支払先を示す情報が、前記施設情報記憶部に記憶された前記施設情報に含まれるか否かを判定する施設判定部と、を備え、
前記放音停止部は、前記電子マネーの支払先を示す情報が前記施設情報に含まれると前記施設判定部により判定された場合に、前記放音部からの放音を停止し、前記電子マネーの支払先を示す情報が前記施設情報に含まれないと前記施設判定部により判定された場合に、前記放音部からの放音を停止しない、
付記３に記載の通信装置。
【０１１０】
（付記５）
前記非接触通信によって前記特定の施設での支払処理が行われた場合、前記支払処理を行った位置を示す支払位置情報を取得する支払位置取得部と、
前記通信装置の現在位置を示す現在位置情報を所定のタイミング毎に取得する現在位置取得部と、
前記支払位置取得部により取得された支払位置情報と前記現在位置取得部により取得された現在位置情報とが示す位置関係から、前記通信装置が、前記非接触通信による支払処理を行った位置から所定の距離離れた位置に移動したかを予め定められたタイミング毎に判定する移動判定部と、を備え、
前記放音停止部は、前記移動判定部により前記通信装置が所定の距離離れた位置に移動したと判定された場合に、前記放音部による前記放音の停止を解除する、
付記４に記載の通信装置。
【０１１１】
（付記６）
前記放音が停止されている間に、前記情報通信部で情報が受信されると、前記通信装置を振動させる振動部と、
前記外部の電子機器から送信された信号を受信する機器受信部と、
前記振動部による振動が行われている間に、前記機器受信部で信号が受信されると、前記振動部による振動を停止する振動停止部と、
を備える付記１から５のいずれか１つに記載の通信機器。
【０１１２】
（付記７）
通信装置が、音を出力する放音ステップと、
前記通信装置が、外部の通信機器と情報の送受信を行う情報通信ステップと、
前記通信装置が、外部の情報機器と電子マネー機能による非接触通信を行う非接触通信ステップと、
前記通信装置が、特定の施設への入場時に前記非接触通信ステップの非接触通信によって入場処理を行った場合に、前記放音ステップによる放音を停止する放音停止ステップと、
前記放音停止ステップにより前記放音が停止されている場合に、前記情報通信ステップで情報の受信があると、受信があったことを示す受信情報を、前記受信情報を表示可能な外部の電子機器へ送信する機器送信ステップと、
を備える通信方法。
【０１１３】
（付記８）
通信装置が、音を出力する放音ステップと、
前記通信装置が、外部の通信機器と情報の送受信を行う情報通信ステップと、
前記通信装置が、外部の情報機器と電子マネー機能による非接触通信を行う非接触通信ステップと、
前記通信装置が、特定の施設での電子マネーの支払時に前記非接触通信ステップの非接触通信によって支払処理を行った場合に、前記放音ステップによる放音を停止する放音停止ステップと、
前記通信装置が、前記放音停止ステップにより前記放音が停止されている場合に、前記情報通信ステップで情報の受信があると、受信があったことを示す受信情報を、前記受信情報を表示可能な外部の電子機器へ送信する機器送信ステップと、
を備える通信方法。
【０１１４】
（付記９）
通信装置を制御するコンピュータに、
音を出力する放音機能、
外部の通信機器と情報の送受信を行う情報通信機能、
外部の情報機器と電子マネー機能による非接触通信を行う非接触通信機能、
特定の施設への入場時に前記非接触通信機能の非接触通信によって入場処理を行った場合に、前記放音機能による放音を停止する放音停止機能、
前記放音停止機能により前記放音が停止されている場合に、前記情報通信機能で情報の受信があると、受信があったことを示す受信情報を、前記受信情報を表示可能な外部の電子機器へ送信する機器送信機能、
を実現させるプログラム。
【０１１５】
（付記１０）
通信装置を制御するコンピュータに、
音を出力する放音機能、
外部の通信機器と情報の送受信を行う情報通信機能、
外部の情報機器と電子マネー機能による非接触通信を行う非接触通信機能、
特定の施設での電子マネーの支払時に前記非接触通信機能の非接触通信によって支払処理を行った場合に、前記放音機能による放音を停止する放音停止機能、
前記放音停止機能により前記放音が停止されている場合に、前記情報通信機能で情報の受信があると、受信があったことを示す受信情報を、前記受信情報を表示可能な外部の電子機器へ送信する機器送信機能、
を実現させるプログラム。
【符号の説明】
【０１１６】
１，２，３                通信システム
１０，１１，１２          携帯端末装置
３０                      携帯機器
１００，２００，３００    制御部
１０１，２０１            放音停止部
１０２                    機器送信部
１１０                    放音部
１２０                    非接触通信部
１３０                    情報通信部
１４０                    入力部
１５０，３２０            表示部
１６０，３１０            時計部
１７０                    振動部
１８０，３３０            近距離通信部
２１０                    記憶部
２１１                    施設情報記憶部
２１２                    地図情報記憶部
２２０                    ＧＰＳ受信部
【図１】
2013247480.tif 000003
【図２】
2013247480.tif 000004
【図３】
2013247480.tif 000005
【図４】
2013247480.tif 000006
【図５】
2013247480.tif 000007
【図６】
2013247480.tif 000008
【図７】
2013247480.tif 000009